(57)【要約】【課題】操作性を確保しつつ、収納操作が容易な収納部付きステッキ１０を提供すること。【解決手段】本発明の収納部付きステッキ１０は、ステッキ２０と収納部３０を有する。収納部３０は、ステッキ２０に沿って移動自在に取り付けられ、内部に収納空間３１を有する。【選択図】図４
2016019671.tif 000002
【特許請求の範囲】
【請求項１】
ステッキと、
前記ステッキに沿って移動自在に取り付けられ、内部に収納空間を有する収納部と
を備えることを特徴とする収納部付きステッキ。
【請求項２】
請求項１に記載の収納部付きステッキであって、
前記収納部は、前記ステッキを自立させるための自立機能部を有することを特徴とする収納部付きステッキ。
【請求項３】
請求項１又は２記載の収納部付きステッキであって、
前記収納部は、車輪を有することを特徴とする収納部付きステッキ。
【請求項４】
請求項３記載の収納部付きステッキであって、
前記収納部は、前記収納空間とは異なる、前記ステッキを収容する収容部を有し、
前記収納部付きステッキは、前記収納部に設けられた掛け紐をさらに具備する
収納部付きステッキ。
【請求項５】
請求項１乃至４のいずれか１項に記載の収納部付きステッキに使用される収納部。
【請求項６】
請求項１乃至４のいずれか１項に記載の収納部付きステッキに使用されるステッキ。
【発明の詳細な説明】
【技術分野】
【０００１】
本発明は、収納部、ステッキ及び収納部が取り付けられたステッキに関する。
【背景技術】
【０００２】
従来、歩行が困難な高齢者や障害者等は、歩行を補助するためのステッキ（杖）を用いることが多い。このようなステッキのユーザは、ステッキを用いることにより片方の手がふさがれてしまうので、もう片方の手で手荷物等を持つと両手がふさがれてしまう。したがって、転倒等の状況に対応することが困難となり、荷物を携行して外出しなければならない場合等の歩行は、ステッキのユーザにとっては危険であった。
【０００３】
そこで、特許文献１では、ステッキに取り付けることができる袋物の構造が開示されている。袋物は、止め具によりステッキに固定される構成となっている。これにより、ステッキのユーザは手荷物がある場合でも、ステッキに取り付けられた袋物に手荷物を収納させることができるので、片方の手が自由になり、安全な歩行が可能としている。
【先行技術文献】
【特許文献】
【０００４】
【特許文献１】特開２００２−１５３３１３号公報
【発明の概要】
【発明が解決しようとする課題】
【０００５】
しかしながら、特許文献１に記載の袋物はステッキに固定されるために、袋物に収納される収納物の重さによってステッキのバランスを保つことができず、ステッキの操作性を確保することができないおそれがある。また、この袋物は、ステッキに対する位置が固定されているため、袋物の取り付けられた位置によっては収納操作が困難となるおそれがある。
【０００６】
以上のような事情に鑑み、本発明の目的は、操作性を確保しつつ、収納操作が容易な収納部付きステッキを提供することを目的とする。
【課題を解決するための手段】
【０００７】
上記目的を達成するため、本発明の一形態に係る収納部付きステッキは、ステッキと収納部を有する。
上記収納部は、上記ステッキに沿って移動自在に取り付けられ、内部に収納空間を有する。
【０００８】
上記構成によれば、収納部はステッキに沿って移動自在に取り付けられているため、収納部をステッキに対して移動させることにより、重心の位置を移動させることができる。よって、収納空間に収納される収納物の重さに関係なくステッキのバランスを確保することができ、ステッキの操作性を確保することが容易となる。
また、収納部を収納物の出し入れに適した位置に移動させることができるため、収納操作を容易に行うことが可能となっている。
したがって、本発明により、操作性を確保しつつ、収納操作が容易な収納部付きステッキを提供することができる。
【０００９】
収納部は、ステッキを自立させるための自立機能部を有していてもよい。
【００１０】
上記のように、収納部はステッキに対して移動可能に構成され、収納部を地面に接地させることができる。このため、自立機能部によって収納部を支持することにより、ステッキを自立させることができる。
【００１１】
収納部は、車輪を有していても良い。
【００１２】
この構成によれば、収納部に設けられた車輪によって、収納部付きステッキを容易に移動させることが可能となり、収納部付きステッキを、歩行をサポートするステッキとしてだけではなく、キャリーバックとしても利用することができ、収納部に収納されている収納物を楽に移動させることが可能である。
【００１３】
収納部は、収納空間とは異なる、ステッキを収容する収容部を有し、収納部付きステッキは、収納部に設けられた掛け紐をさらに具備してもよい。
【００１４】
この構成によれば、ユーザは収納部付きステッキを歩行のサポートをするステッキとしてだけではなく、鞄として使用することもできる。
【００１５】
上記目的を達成するため、本発明の一形態に係る収納部は、上記収納部付きステッキに使用される。
【００１６】
上記収納部は、ステッキに取り付けることにより、上記収納部付きステッキを提供する
ことが可能である。
【００１７】
上記目的を達成するため、本発明の一形態に係るステッキは、上記収納部付きステッキに使用される。
【００１８】
上記ステッキは、収納部に取り付けることにより、上記収納部付きステッキを提供することができる。
【発明の効果】
【００１９】
本発明によれば、操作性を確保しつつ、収納操作が容易な収納部付きステッキを提供することができる。
【図面の簡単な説明】
【００２０】
【図１】本発明の第１の実施形態に係る収納部付きステッキの模式図である。
【図２】同収納部付きステッキの別方向からみた模式図である。
【図３】同収納部付きステッキの底面側から見た模式図である。
【図４】同収納部付きステッキの収納部の動作を示す図である。
【図５】同収納部付きステッキの収納部が、最上位置にある状態を示す図である。
【図６】同収納部付きステッキの収納部が、最下位置にある状態を示す図である。
【図７】本発明の第１の実施形態に係る、車輪を有する収納部付きステッキを示す模式図である。
【図８】同収納部付きステッキの使用態様を示す模式図である。
【図９】図２のＡ−Ａ線における断面図である。
【図１０】本発明の第２の実施形態に係る収納部付きステッキの模式図である。
【図１１】同実施形態に係る短縮状態の軸部を示す図である。
【図１２】同実施形態に係る伸長状態の軸部を示す図である。
【図１３】同実施形態に係る収納部を示す図である。
【図１４】図１３のＢ−Ｂ線における断面図である。
【図１５】同実施形態に係るステッキが収納部に収容された状態を示す図である。
【図１６】同実施形態に係るステッキが収納部に収容された状態を示す図である。
【発明を実施するための形態】
【００２１】
（第１の実施形態）
本発明の第１の実施形態に係る収納部付きステッキについて説明する。
【００２２】
［収納部付きステッキの構成］
図１及び図２は、本実施形態に係る収納部付きステッキ１０の模式図であり、図１は収納部付きステッキ１０を一方向からみた図、図２は収納部付きステッキ１０を別の方向からみた図である。以下の図においてＸ方向、Ｙ方向及びＺ方向は相互に直交する３方向である。
【００２３】
これらの図に示すように、収納部付きステッキ１０は、ステッキ２０と収納部３０を備える。
【００２４】
ステッキ２０は、軸部２１、グリップ部２２及び石突き部２３を有する。
【００２５】
軸部２１は、図１及び図２に示すように、一方向を長手方向とする棒状の形状を有する。以下、軸部２１の長手方向をＺ方向とする。軸部２１の長さや太さは特に限定されず、ユーザの用途やユーザが所望するサイズに応じて適宜決定することが可能である。軸部２１の材料は特に限定されないが、例えば、木材、アルミ、鉄及び合成樹脂等からなるものとすることができ、少なくとも、ステッキとして機能する強度を有する材料であればよい。
【００２６】
グリップ部２２は、軸部２１の一端に設けられ、Ｘ方向を長手方向とする棒状に形成されており、ユーザが持ち手として使用することができる。また、グリップ部２２は、図１及び図２に示す形状に限られず、ユーザが持ち手として利用できる形状であればよい。
グリップ部２２の材料は特に限定されないが、例えば、抗菌樹脂からなるものであってもよい。また、ステッキ２０と同じ材料からなるものであってもよく、異なる材料からなるものであってもよい。なお、グリップ部２２は必ずしも設けられなくてもよい。
【００２７】
石突き部２３は、軸部２１においてグリップ部２２とは反対側の一端に設けられ、地面と接地する。石突き部２３の形状は特に限定されず、ユーザの用途やユーザが所望するサイズに応じて適宜決定することが可能である。石突き部２３の材料は特に限定されず、例えば、高強度の合成樹脂材料等であってもよく、ゴム等の弾性材料であってもよい。なお、石突き部２３は必ずしも設けられなくてもよい。
【００２８】
収納部３０は、物品を収納する。また、収納部３０は、後述するように、ステッキ２０に対してＺ方向に移動可能に設けられている。収納部３０の長さや幅、厚みは特に限定されず、ユーザの用途やユーザが所望するサイズに応じて適宜決定することが可能である。収納部３０の材料は特に限定されないが、例えば、合成樹脂、金属、皮革及び木材、繊維等からなるものであってもよい。
【００２９】
収納部３０は、収納空間３１を有する。収納空間３１は、物品を収納することが可能に構成されている。収納部３０は、例えば、図示しないファスナー等の開閉機構を備え、収納空間３１を開閉することが可能である。収納空間３１の形状は特に限定されず、物品を収納可能であればよい。
【００３０】
また、収納部３０は、自立機能部３２を有する。図３は、収納部３０を底面側から見た模式図である。同図に示すように、自立機能部３２は、収納部３０の底面に、ある程度の間隔を空けて２つが設けられるものとすることができる。自立機能部３２の個数は、２つに限定されるものではなく、１つ又は複数とすることが可能である。自立機能部３２の形状は特に限定されず、ユーザの用途やユーザが所望するサイズに応じて適宜決定することが可能である。自立機能部３２の材料は特に限定されないが、例えば、高強度の合成樹脂材料等であってもよく、ゴム等の弾性材料であってもよい。
【００３１】
収納付きステッキ１０は以上のような構成を有する。
【００３２】
[収納部付きステッキの動作]
収納部３０は、上述のようにステッキ２０に対してＺ方向に移動可能に設けられている。
図４〜図６は、収納物付きステッキ１０の動作を示す図である。図５は、収納部３０が最もグリップ部２２側である最上位置にある状態を示す図であり、図６は収納部３０が最も石突き部２３側である最下位置にある状態を示す図である。図４は最上位置と最下位置の間に収納部３０が位置する状態を示す図である。
【００３３】
収納部３０は、図４に両矢印で示すように、ステッキ２０に沿ってＺ方向に移動することができる。
【００３４】
これにより、ユーザは収納部３０に収納される収納物の重さに応じて、収納部付きステッキ１０の重心の位置を移動することができる。よって、収納部３０に収納される収納物の重さに関係なくステッキのバランスを確保することができ、ステッキの操作性を確保することが容易となる。また、ステッキ２０に対して収納部３０を収納物の出し入れに適した位置に移動させることができるため、収納操作も容易に行うことが可能となる。例えばユーザは、図５に示す最上位置において収納部３０に収納物を出し入れし、収納部３０の重量が大きくなると、図６に示す最下位置に収納部３０を移動させ、収納部付きステッキ１０を安定させることが可能である。なお、本実施形態の収納部３０は、軸部２１を回転軸としてユーザが所望する適宜の位置で回転することもできる。
【００３５】
［自立機能部について］
ここで、図６に示すように、収納部３０が有する自立機能部３２は、最下位置において地面Ｇと接地する構成となる。これにより、自立機能部３２は、同図に示すように、収納部３０を支持することにより、ステッキ２０を自立させることができる。
【００３６】
したがって、ユーザは収納部付きステッキ１０を立て掛けたり、横に倒す必要がなくなるので、周辺環境に依存せずに収納部付きステッキ１０の置き場所を確保することが容易となる。
【００３７】
また、収納部付きステッキ１０は、自立機能部３２に替えて、または自立機能部３２に加えて、車輪３３を有していてもよい。
図７は車輪３３を備える収納部付きステッキ１０を示す模式図であり、図８は当該収納部付きステッキ１０の使用態様を示す模式図である。本実施形態に係る自立機能部３２は、図７に示すように、キャスター等の車輪３３がステッキ２０を自立させるための自立機能部３２として供された構成とすることもできる。車輪３３の位置は、図３における自立機能部３２と同じ配置とすることができる。車輪３３の数は、自立機能部３２と同様に２つに限定されるものではなく、１つ又は複数とすることが可能である。
【００３８】
これらの図に示すようにユーザは、収納部付きステッキ１０を傾けることにより、車輪を利用して収納部付きステッキ１０を移動させることが可能であり、収納物の重量が大きい場合等に収納部付きステッキ１０を容易に移動させることが可能である。これにより、ユーザは収納部付きステッキ１０を歩行のサポートをするステッキとしてだけではなく、図８に示すように、キャリーバックとしても使用することができる。
【００３９】
収納部３０に具備される車輪３３の数は、図７に示す数に限定されるものではなく、１つ又は複数個の車輪３３が収納部３０に具備される構成とすることができる。
【００４０】
［ステッキと収納部の取り付け構造について］
上記のように、収納部３０は、ステッキ２０に対してＺ方向に移動可能に設けられている。このため、収納物を収容する状態においても重力によって移動しないように構成されている必要がある。
【００４１】
図９は、図２のＡ−Ａ線における断面図である。本実施形態に係る収納部付きステッキ１０は、同図に示すように、ステッキ２０にピン受け部２４と、収納部３０に掛止ピン４０を具備する構成とすることもできる。これにより、ユーザが所望する適宜の位置で収納部３０がステッキ２０に固定されることができる。
【００４２】
掛止ピン４０は、図９の矢印で示すように、Ｘ方向に沿って可動することができ、図示を省略したばね等の付勢部材によって、常時、ステッキ２０を押圧するように付勢されている。
【００４３】
具体的には、掛止ピン４０は、図９に示すように、収納部３０の内壁に埋没する点線で示した埋没位置と、ステッキ２０の方向に突出し、掛止ピン４０がピン受け部２４と嵌合する実線で示した突出位置との間を可動可能に構成される。
【００４４】
これにより、掛止ピン４０は、ピン受け部２４との嵌合時（掛止ピン４０が突出位置にある時）のみ、ステッキ２０の方向に最も突出した構成となるので、ステッキ２０は掛止ピン４０により掛止される。したがって、収納部３０は、収納部付きステッキ１０の使用中にステッキ２０に沿って鉛直下方に移動することなく、ユーザが所望する適宜の位置に固定されることが可能である。
【００４５】
なお、本実施形態に係る掛止ピン４０の個数は、図９に示す個数に限定されるものではなく、１つ又は複数個の掛止ピン４０が収納部３０に具備される構成とすることができる。また、ピン受け部２４は、図９に示すような凹状に限定されず、掛止ピン４０が挿通する挿通孔であってもよい。
【００４６】
（第２の実施形態）
本発明の第２の実施形態に係る収納部付きステッキについて説明する。
【００４７】
［収納部付きステッキの構成］
図１０は、本実施形態に係る収納部付きステッキ５０の模式図である。以下の図においてＸ方向、Ｙ方向及びＺ方向は相互に直交する３方向である。
【００４８】
これらの図に示すように、収納部付きステッキ５０は、ステッキ６０と収納部７０を備える。
【００４９】
ステッキ６０は、軸部６１、グリップ部６２及び石突き部６３を有する。
【００５０】
本実施形態に係る軸部６１は、一方向に伸縮可能であり、長さ可変に構成される。以下、軸部６１の長手方向をＺ方向とする。図１１及び図１２は軸部６１の伸縮を示す図であり、図１１は短縮状態、図１２は伸長状態を示す図である。軸部６１の伸縮機構は特に限定されず、一般的な伸縮機構であるものとすることができる。なお、グリップ部６２及び石突き部６３は、第１の実施形態に係るグリップ部２２及び石突き部２３と同様な構成であるため、説明を省略する。
【００５１】
図１３は、本実施形態に係る収納部７０の模式図であり、図１４は、図１３のＢ−Ｂ線の断面図である。本実施形態の収納部７０は、図１３及び図１４に示すように、収容部８０、掛け紐８１及び自立機能部７２を具備する。なお、本実施形態の自立機能部７２は、第１の実施形態に係る自立機能部３２と同様な構成であるため、説明を省略する。
【００５２】
収容部８０は、収納空間７１とは異なる空間として形成され、軸部収容部８２及びグリップ部収容部８３を有する。また、収納部８０は、図１３及び図１４に示すように、内部に収納空間７１を有する。収納空間７１は、第１の実施形態に係る収納空間３１と同様な構成であるため、説明を省略する。なお、収容部８０は、軸部収容部８２及びグリップ部収容部８３のいずれか一方を有する構成であってもよい。
【００５３】
軸部収容部８２は、図１４に示すように、Ｚ方向に長手方向をとり、グリップ部収容部８３と連通する空間として形成される。また、軸部収容部８２はグリップ部収容部８３と、収納部７０における底面とを連通する貫通孔とすることができる。これにより、軸部収容部８２は、短縮された軸部６１を収容することができる。なお、軸部収容部８２は、収納空間７１と連通する構成であってもよい。
【００５４】
グリップ部収容部８３は、図１４に示すように、Ｘ軸方向に長手方向をとる空間として形成され、軸部収容部８２と連通する。これにより、グリップ部収容部８３は、グリップ部６２を部分的に収容することができる。なお、グリップ部収容部８３は、収納空間７１と連通する構成であってもよい。
【００５５】
掛け紐８１は、収納部７０に設けられた、可撓性の帯とすることができる。掛け紐８１は図１３に示すように、一端が収納部７０の底面側に接続され、他端がグリップ部収容部８３側に接続されるものとすることができる
【００５６】
掛け紐８１は、図１３の点線で示すように、使用時に掛け紐収納部（図示しない）から引き出され、ユーザの肩等に掛けられる紐として使用される。使用後には、図示しない巻き取り部に巻き取られるように構成されることができる。これにより、収納部付きステッキ５０を掛け紐８１に邪魔されずにステッキとして用いることができる。
【００５７】
掛け紐８１の長さや幅、厚みは特に限定されず、ユーザの用途やユーザが所望するサイズに応じて適宜決定することが可能である。掛け紐８１の材料は特に限定されないが、例えば、繊維や軟化性合成樹脂材料等の合成樹脂であってもよく、少なくとも可撓性を有する材料であればよい。掛け紐８１の数は、図１３及び図１４の構成に限定されるものではなく、１つあるいは複数ある構成であってもよい。
【００５８】
図１５及び図１６はステッキ６０が収納部７０に収容された状態を示す模式図である。図１５は収納部付きステッキ５０を一方向から見た図であり、図１６は収納部付きステッキ５０を別方向から見た図である。これらの図に示すように、ステッキ６０は、軸部６１が軸部収容部８２に収容され、グリップ部６２がグリップ部収容部８３に収容されることで、収納部７０に収容されることができる。
【００５９】
これにより、本実施形態に係る収納部付きステッキ５０は省スペース化を図ることができるので、未使用時の収納部付きステッキ５０の収納場所を確保することが容易となる。また、ステッキ６０を収容部８０に収容させることで、ステッキとして認識されにくくなるので、外観性能を向上させることも可能である。さらに、収納部７０は、図１５及び図１６に示すように、収納物を収納する収納空間７１及び掛け紐８１を有することで、ユーザは収納部付きステッキ５０をステッキとしてだけではなく、鞄として使用することもできる。
【００６０】
以上、本発明の実施形態について説明したが、本発明は上述の実施形態にのみ限定されるものではなく、本発明の要旨を逸脱しない範囲内において種々変更を加え得ることは勿論である。例えば、第２の実施形態では、第１の実施形態と同様に収納部７０がステッキ６０に沿って移動自在に取り付けられた構成とすることもできる。
また、第１の実施形態と同様に収納部付きステッキ５０は、自立機能部７２に替えて、または自立機能部７２に加えて、車輪を有していてもよい。
【００６１】
また、第２の実施形態では、収納部付きステッキ５０は、鞄として使用することもできると説明したが、収納部付ステッキ５０のステッキ以外の用途は、鞄のみに限定されるものではない。
【符号の説明】
【００６２】
１０、５０・・・収納部付きステッキ
２０、６０・・・ステッキ
２１、６１・・・軸部
２２、６２・・・グリップ部
２３、６３・・・石突き部
３０、７０・・・収納部
３１、７１・・・収納空間
３２、７２・・・自立機能部
３３・・・・・・車輪
８０・・・・・・収容部
８１・・・・・・掛け紐
８２・・・・・・軸部収容部
８３・・・・・・グリップ部収容部
【図１】
2016019671.tif 000003
【図２】
2016019671.tif 000004
【図３】
2016019671.tif 000005
【図４】
2016019671.tif 000006
【図５】
2016019671.tif 000007
【図６】
2016019671.tif 000008
【図７】
2016019671.tif 000009
【図８】
2016019671.tif 000010
【図９】
2016019671.tif 000011
【図１０】
2016019671.tif 000012
【図１１】
2016019671.tif 000013
【図１２】
2016019671.tif 000014
【図１３】
2016019671.tif 000015
【図１４】
2016019671.tif 000016
【図１５】
2016019671.tif 000017
【図１６】
2016019671.tif 000018